Podtech/llm-jp-corpus-v4-ja_patent huggingface dataset:
【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
固定子と回転子を備え、
前記固定子が、ヨーク部と歯部とを備えた固定子鉄心と、前記固定子鉄心の歯部にインシュレータを介して装着される固定子巻線とを有し、
前記固定子鉄心が、極歯単位毎に円周方向に分割された積層鉄心個片を、所定数量環状に連結して構成されたものである回転電機において、
前記積層鉄心個片の歯部に、インシュレータを装着するとともに、前記インシュレータの上に、伸縮性がある絶縁部材を装着したことを特徴とする回転電機。
【請求項２】
前記絶縁部材がゴムもしくは熱収縮性のチューブのいずれかであることを特徴とする請求項１に記載の回転電機。
【手続補正２】
【補正対象書類名】明細書
【補正対象項目名】００１１
【補正方法】変更
【補正の内容】
【００１１】
上記問題を解決するため、本発明は、次のように構成したものである。
請求項１に記載の発明は、固定子と回転子を備え、前記固定子が、ヨーク部と
歯部とを備えた固定子鉄心と、前記固定子鉄心の歯部にインシュレータを介して装着される固定子巻線とを有し、前記固定子鉄心が、極歯単位毎に円周方向に分割された積層鉄心個片を、所定数量環状に連結して構成されたものである回転電機において、前記積層鉄心個片の歯部に、インシュレータを装着するとともに、前記インシュレータの上に、伸縮性がある絶縁部材を装着したことを特徴とするものである。
請求項２に記載の発明は、前記絶縁部材がゴムもしくは熱収縮性のチューブのいずれかであることを特徴とするものである。
【手続補正３】
【補正対象書類名】明細書
【補正対象項目名】００１２
【補正方法】変更
【補正の内容】
【００１２】
請求項１から請求項２に記載の発明によると、インシュレータの構成を簡単にすることができるとともに、絶縁部材の収縮する力によってインシュレータを積層鉄心個片の歯部に簡単に固定することができる。また、その伸縮性によって簡単に分離することができる。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
界磁鉄心上に交互に極性が異なる複数の永久磁石を等ピッチで配置した界磁磁極と、
前記界磁磁極と磁気的空隙を介して対向配置されると共に、電機子コアと該コアのティースにコイルを集中巻きに巻回してなる電機子巻線とを備えた電機子を有し、前記界磁磁極と前記電機子の何れか一方を固定子、他方を可動子として相対的に走行するようにしたリニアモータにおいて、
前記電機子コアのティースは、該コイルを巻回する第１のティースと、該コイルを巻回しない第２のティースとで構成されており、
前記永久磁石による磁極数と、前記電機子コアのティース数の関係を、４ｎ：６ｎ−１（ｎ：自然数） とすると共に、前記電機子コアのティースピッチが磁極ピッチτに対し、２τ／３、かつ、前記電機子コアに巻回されたコイルピッチが磁極ピッチτに対し、４τ／３とするようにしたことを特徴とするリニアモータ。
【請求項２】
前記コイルを巻回しない第２のティースの磁石列と直交する方向の長さＬｔｄ２は、前記該コイルを巻回する第１のティースの磁石列と直交する方向の長さＬｔｃ２よりも短くしたことを特徴とする請求項１に記載のリニアモータ。
【請求項３】
前記コイルを巻回しない第２のティースの長さＬｔｄ２と、前記該コイルを巻回する第１のティースの長さＬｔｃ２ との比Ｌｔｄ２／Ｌｔｃ２を、０．５≦（Ｌｔｄ２／Ｌｔｃ２）＜１に設定したことを特徴とする請求項１または２に記載のリニアモータ。
【請求項４】
前記該コイルを巻回しない第２のティースと、前記該コイルを巻回する第１のティースのそれぞれの先端形状が異なることを特徴とする請求項１〜３までの何れか１項に記載のリニアモータ。
【請求項５】
前記電機子コアの両端には、前記第１のティースの形状とは異なる形状の補助ティースを設けたことを特徴とする請求項１〜４までの何れか１項に記載のリニアモータ。
【手続補正２】
【補正対象書類名】明細書
【補正対象項目名】０００４
【補正方法】変更
【補正の内容】
【０００４】
上記問題を解決するため、請求項１に記載の発明は、界磁鉄心上に交互に極性が異なる複数の永久磁石を等ピッチで配置した界磁磁極と、前記界磁磁極と磁気的空隙を介して対向配置されると共に、電機子コアと該コアのティースにコイルを集中巻きに巻回してなる電機子巻線とを備えた電機子を有し、前記界磁磁極と前記電機子の何れか一方を固定子、他方を可動子として相対的に走行するようにしたリニアモータにおいて、前記電機子コアのティースは、該コイルを巻回する第１のティースと、該コイルを巻回しない第２のティースとで構成されており、前記永久磁石による磁極数と、前記電機子コアのティース数の関係を、４ｎ：６ｎ−１（ｎ：自然数）とすると共に、前記電機子コアのティースピッチが磁極ピッチτ に対し、２τ／３、かつ、前記電機子コアに巻回されたコイルピッチが磁極ピッチτに対し、４τ／３、とするようにしたことを特徴としている。
請求項２に記載の発明は、請求項１に記載のリニアモータにおいて、前記コイルを巻回しない第２のティースの磁石列と直交する方向の長さＬｔｄ２は、前記該コイルを巻回する第１のティースの磁石列と直交する方向の長さＬｔｃ２よりも短くしたことを特徴としている。
請求項３に記載の発明は、請求項１または２に記載のリニアモータにおいて、前記コイルを巻回しない第２のティースの長さＬｔｄ２と、前記該コイルを巻回する第１のティースの長さＬｔｃ２との比Ｌｔｄ２／Ｌｔｃ２を、０．５≦（Ｌｔｄ２／Ｌｔｃ２） ＜１に設定したことを特徴としている。
請求項４に記載の発明は、請求項１〜３までの何れか１項に記載のリニアモータにおいて、 前記該コイルを巻回しない第２のティースと、前記該コイルを巻回する第１のティースのそれぞれの先端形状が異なることを特徴としている。
請求項５に記載の発明は、請求項１〜４までの何れか１項に記載のリニアモータにおいて、前記電機子コアの両端には、前記第１のティースの形状とは異なる形状の補助ティースを設けたことを特徴としている。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
固定子コアと、前記固定子コアの内周面または外周面の何れか一方に、回転磁界形成用の複数の空芯形状コイルを配設してなる電機子巻線とを備えた固定子と、
前記固定子と磁気的空隙を介して対向する回転子と、を備え、前記固定子コアが前記空芯形状コイルの空芯部長さの範囲内で高さ方向に分割され、これら分割された前記固定子コアの間の空隙部に、複数の前記空芯形状コイルを各相で一筆巻きの巻線を形成したものを配設してなり、各々の端末が、各相ごとに互いに渡り線によって接続され、スペーサによって前記空隙部の距離を一定に維持しているギャップワインディングモータにおいて、
前記空隙部に配置されたスペーサは、前記渡り線と平行な方向に続く渡り線用の保持穴を有したことを特徴とするギャップワインディングモータ。
【請求項２】
前記スペーサは前記保持穴から端部にむかって広がる切込み部を有し、前記切込み部内に前記渡り線を配置したことを特徴とする請求項１記載のギャップワインディングモータ
【請求項３】
前記スペーサは、前記コイル数と同数に円周方向に分割したことを特徴とする請求項１または２記載のギャップワインディングモータ。
【請求項４】
前記スペーサは、軸方向に相分だけ重ねたことを特徴とする請求項１〜３のいずれか１項に記載のギャップワインディングモータ。
【請求項５】
前記スペーサの各相に対するスペーサ位置を、渡り線の方向に対し円周方向にオフセットしたことを特徴とする請求項１〜４のいずれか１項に記載のギャップワインディングモータ
【手続補正２】
【補正対象書類名】明細書
【補正対象項目名】０００４
【補正方法】変更
【補正の内容】
【０００４】
上記問題を解決するため、本発明は、次のように構成したものである。
請求項１に記載の発明は、固定子コアと、前記固定子コアの内周面または外周面の何れか一方に、回転磁界形成用の複数の空芯形状コイルを配設してなる電機子巻線とを備えた固定子と、前記固定子と磁気的空隙を介して対向する回転子と、を備え、前記固定子コアが前記空芯形状コイルの空芯部長さの範囲内で高さ方向に分割され、これら分割された前記固定子コアの間の空隙部に、複数の前記空芯形状コイルを各相で一筆巻きの巻線を形成したものを配設してなり、各々の端末が、各相ごとに互いに渡り線によって接続され、スペーサによって前記空隙部の距離を一定に維持しているギャップワインディングモータにおいて、前記空隙部に配置されたスペーサは、前記渡り線と平行な方向に続く渡り線用の保持穴を有したことを特徴とするものである。
請求項２に記載の発明は、請求項１記載のギャップワインディングモータにおいて、前記スペーサは前記保持穴から端部にむかって広がる切込み部を有し、前記切込み部内に前記渡り線を配置したことを特徴とするものである。
請求項３に記載の発明は、請求項１または２記載のギャップワインディングモータにおいて、前記スペーサを、前記コイル数と同数に円周方向に分割したことを特徴とするものである。
請求項４に記載の発明は、請求項１〜３記載のギャップワインディングモータにおいて、前記スペーサを、軸方向に相分だけ重ねたことを特徴とするものである。
請求項５に記載の発明は、請求項１〜４記載のギャップワインディングモータにおいて、前記スペーサの各相に対するスペーサ位置を、渡り線の方向に対し円周方向にオフセットしたことを特徴とするものである。
【手続補正３】
【補正対象書類名】明細書
【補正対象項目名】０００５
【補正方法】変更
【補正の内容】
【０００５】
請求項１から２に記載の発明によると、スペーサに一筆巻きコイルの渡り線の絶縁効果を与えることで絶縁性のチューブを廃止することができる。これにより、巻線作業時間の短縮、信頼性の向上、また、コストの削減等が可能なギャップワインディングモータを提供することができる。
請求項３から請求項５に記載の発明によると、連続し、かつ重なり合う一筆巻きコイルにおいても各相ともに、コイルとコイルまたコイルと構造物の絶縁を得ることができ、信頼性が向上する。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
マルチ・モードで動作可能な増幅器において、
第１及び第２の電圧入力と、
第１及び第２の双方向性の電流出力であって、実質的に同じ振幅と実質的に同じ極性を有する双方向性の第１及び第２の電流出力と、
を備え、
前記増幅器が、前記第１の双方向性の電流出力、及び、前記第２の双方向性の電流出力が、一緒に結合されるときに、第１のモードで動作し、
前記増幅器が、前記第１の双方向性の電流出力と前記第２の双方向性の電流出力の１つが、前記第２の電圧入力に結合されるときに、第２のモードで動作する、
ことを特徴とする増幅器。
【請求項２】
請求項１記載の増幅器において、該増幅器は更に、第３の双方向性の電流出力を備え、該第３の双方向性の電流出力は、実質的に第１及び第２の電流出力の振幅と同じ振幅を有し、該第３の双方向性の電流出力は、第１及び第２の双方向性の電流出力の極性と実質的に反対の極性を有する、
ことを特徴とする増幅器。
【請求項３】
請求項１記載の増幅器において、前記増幅器が、
前記第１の双方向性の電流出力と、前記第２の双方向性の電流出力の１つが、フローティング（浮遊）状態であるときに、第１のモードで動作する、
ことを特徴とする増幅器。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
複数の画像を含むファイルであって、当該複数の画像が作成されたときの作成モードを特定するための情報を含む複数のファイルを取得する取得手段と；
上記取得手段により取得された複数のファイルのそれぞれに含まれる上記情報に基づいて上記複数のファイルのそれぞれに対応する作成モードを特定し、特定された当該作成モードに応じて、当該複数のファイルのそれぞれに含まれる画像を表示するときに表示対象の画像を順次切り替える第１の表示方法を用いるか決定する決定手段と；
上記決定手段による決定に基づき、上記複数のファイルのそれぞれに含まれる画像を、上記第１の表示方法または当該第１の表示方法とは異なる第２の表示方法に従って、表示装置に表示させる表示制御手段と；
を有することを特徴とする画像処理装置。
【請求項２】
請求項１において、
上記表示制御手段は、上記複数のファイルに対応する複数の画像を共に上記表示装置に表示させることを特徴とする画像処理装置。
【請求項３】
請求項１または２において、
上記決定手段により、上記ファイルに含まれる複数の画像が撮影装置により連写されることによって作成された画像であることが特定された場合に、上記第１の表示方法に従って当該複数の画像を表示させることを特徴とする画像処理装置。
【請求項４】
請求項１乃至３のいずれか１項において、
上記第２の表示方法は、上記ファイルに含まれる複数の画像を、上記表示装置の表示画面における複数の領域に表示させる表示方法であることを特徴とする画像処理装置。
【請求項５】
複数の画像を含むファイルであって、当該複数の画像が作成されたときの作成モードを特定するための情報を含む複数のファイルを取得し、
取得された上記複数のファイルのそれぞれに含まれる上記情報に基づいて上記複数のファイルのそれぞれに対応する作成モードを特定し、特定された当該作成モードに応じて、当該複数のファイルのそれぞれに含まれる画像を表示するときに表示対象の画像を順次切り替える第１の表示方法を用いるか決定し、
上記決定に基づき、上記複数のファイルのそれぞれに含まれる画像を、上記第１の表示方法または当該第１の表示方法とは異なる第２の表示方法に従って、表示装置に表示させることを特徴とする画像処理方法。
【請求項６】
請求項５に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００１
【補正方法】変更
【補正の内容】
【０００１】
本発明は、画像を表示装置に表示させる画像処理装置、画像処理方法、及びプログラムに関する。
【手続補正４】
【補正対象書類名】明細書
【補正対象項目名】０００８
【補正方法】変更
【補正の内容】
【０００８】
本発明は、複数のファイルのそれぞれに含まれる画像を適切に表示させることができる画像処理装置、画像処理方法、及びプログラムを提供することを目的とする。
【手続補正５】
【補正対象書類名】明細書
【補正対象項目名】０００９
【補正方法】変更
【補正の内容】
【０００９】
本発明は、複数の画像を含むファイルであって、当該複数の画像が作成されたときの作成モードを特定するための情報を含む複数のファイルを取得する取得手段と、上記取得手段により取得された複数のファイルのそれぞれに含まれる上記情報に基づいて上記複数のファイルのそれぞれに対応する作成モードを特定し、特定された当該作成モードに応じて、当該複数のファイルのそれぞれに含まれる画像を表示するときに表示対象の画像を順次切り替える第１の表示方法を用いるか決定する決定手段と、上記決定手段による決定に基づき、上記複数のファイルのそれぞれに含まれる画像を、上記第１の表示方法または当該第１の表示方法とは異なる第２の表示方法に従って、表示装置に表示させる表示制御手段とを有することを特徴とする。
【手続補正６】
【補正対象書類名】明細書
【補正対象項目名】００１０
【補正方法】変更
【補正の内容】
【００１０】
本発明によれば、複数のファイルのそれぞれに含まれる画像を適切に表示させることができる。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
記録媒体に映像ファイルの記録を行う記録手段と、
前記記録媒体から映像ファイルの読み出しを行う読み出し手段と、
周辺機器と通信を行う通信手段と、
前記通信手段で通信する周辺機器の種類の判別を行う判別手段と、
前記読み出し手段で読み出した複数の映像ファイルの結合を行う結合手段と、
前記周辺機器の種類に応じて、前記複数の映像ファイルを、そのまま転送するのか、前記結合手段で結合してから単数の映像ファイルとして転送するのかの切替えを行う切替え手段と、
前記切替え手段の切替えに応じて、前記読み出し手段で読み出した複数の映像ファイルの転送を行う転送手段と、
を有することを特徴とする映像記録装置。
【請求項２】
前記転送手段による転送の際に結合される前記複数の映像ファイルを、所定の撮影時間で記録された映像ファイルに限定することを特徴とする請求項１に記載の映像記録装置。
【請求項３】
被写体の撮影を行う撮影手段と、
撮影開始及び停止の指示を行うための操作手段と、
前記操作手段からの指示により開始された動画の撮影を、前記所定の撮影時間後に自動的に停止するスナップ撮影モードと、前記操作手段からの指示により開始された動画の撮影を、再度の前記操作手段からの指示により停止する通常撮影モードとを切替えるモード切替え手段と、を更に有し、
前記スナップ撮影モードまたは前記通常撮影モードで撮影された映像ファイルを前記記録手段により記録し、
前記転送手段による転送の際に結合される前記複数の映像ファイルを、前記スナップ撮影モードで撮影された映像ファイルに限定することを特徴とする請求項２に記載の映像記録装置。
【請求項４】
前記転送手段による転送の際に結合される前記複数の映像ファイルを、前記記録媒体において連続して記録された前記所定の撮影時間の映像ファイルとすることを特徴とする請求項２又は３に記載の映像記録装置。
【請求項５】
前記結合した映像ファイルを前記通信手段で通信する周辺機器に転送した後、前記映像ファイルを自動的に削除することを特徴とする請求項１〜４のいずれか１項に記載の映像記録装置。
【請求項６】
前記結合した映像ファイルを前記通信手段で通信する周辺機器に転送した後、前記映像ファイルを新しい映像ファイルとして保存することを特徴とする請求項１〜４のいずれか１項に記載の映像記録装置。
【請求項７】
前記結合した映像ファイルを前記通信手段で通信する周辺機器に転送した後、前記映像ファイルを削除するか、新しい映像ファイルとして保存するかを、選択可能とすることを特徴とする請求項１〜４のいずれか１項に記載の映像記録装置。
【請求項８】
記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、
前記通信手段で通信する周辺機器の種類の判別を行う判別ステップと、
前記周辺機器の種類に応じて、前記複数の映像ファイルを、そのまま転送するのか、前記結合手段で結合してから単数の映像ファイルとしてから転送するのかの切替え行う切替えステップと、
前記切替えステップの切替えに応じて、前記読み出し手段で読み出した複数の映像ファイルの転送を行う転送ステップと、
を有することを特徴とする映像記録装置の制御方法。
【手続補正２】
【補正対象書類名】明細書
【補正対象項目名】発明の名称
【補正方法】変更
【補正の内容】
【発明の名称】映像記録装置、その制御方法
【手続補正３】
【補正対象書類名】明細書
【補正対象項目名】０００１
【補正方法】変更
【補正の内容】
【０００１】
本発明は、記録媒体への映像ファイルの記録、記録媒体からの映像ファイルの読み出し、周辺機器とのデータ通信が可能な映像記録装置、その制御方法に関する。
【手続補正４】
【補正対象書類名】明細書
【補正対象項目名】００１１
【補正方法】変更
【補正の内容】
【００１１】
本発明の映像記録装置は、記録媒体に映像ファイルの記録を行う記録手段と、前記記録媒体から映像ファイルの読み出しを行う読み出し手段と、周辺機器と通信を行う通信手段と、前記通信手段で通信する周辺機器の種類の判別を行う判別手段と、前記読み出し手段で読み出した複数の映像ファイルの結合を行う結合手段と、前記周辺機器の種類に応じて、前記複数の映像ファイルを、そのまま転送するのか、前記結合手段で結合してから単数の映像ファイルとして転送するのかの切替えを行う切替え手段と、前記切替え手段の切替えに応じて、前記読み出し手段で読み出した複数の映像ファイルの転送を行う転送手段と、を有することを特徴とする。
また、本発明の映像記録装置の制御方法は、記録媒体に映像ファイルの記録を行う記録手段と、前記記録媒体から映像ファイルの読み出しを行う読み出し手段と、周辺機器と通信を行う通信手段と、前記読み出し手段で読み出した複数の映像ファイルの結合を行う結合手段と、を有する映像記録装置の制御方法であって、前記通信手段で通信する周辺機器の種類の判別を行う判別ステップと、前記周辺機器の種類に応じて、前記複数の映像ファイルを、そのまま転送するのか、前記結合手段で結合してから単数の映像ファイルとしてから転送するのかの切替え行う切替えステップと、前記切替えステップの切替えに応じて、前記読み出し手段で読み出した複数の映像ファイルの転送を行う転送ステップと、を有することを特徴とする。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
光の３原色それぞれを発光する発光手段から画像原稿に光を照射して、受光手段により前記光の反射光を受光することにより、前記画像原稿を読取る画像読取方法であって、
前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との、少なくともいずれかを行う読取工程と、
前記画像原稿に対する画像読取を２回、行う場合に、前記画像原稿に対する１回目の画像読取を前記補色読取方法を用い、前記画像原稿に対する２回目の画像読取に対する読取を前記原色読取方法を用いて実行するように、読取方法を切り替える切り替え工程とを有することを特徴とする画像読取方法。
【請求項２】
画像読取を行う際の条件を設定する設定工程と、
前記設定工程において設定された条件に従って前記読取工程における読取を行い、前記画像原稿に対する２回目の画像読取を行う際の条件を前記画像原稿に対する１回目の画像読取を行う際の条件と異ならせるように再設定を行う再設定工程とをさらに有することを特徴とする請求項１に記載の画像読取方法。
【請求項３】
前記画像原稿に対する１回目の画像読取により得られた画像データを解析する解析工程と、
前記解析工程において得られた解析結果を前記再設定工程における再設定に反映させる反映工程とをさらに有することを特徴とする請求項２に記載の画像読取方法。
【請求項４】
画像読取の動作モードを指定する指定工程をさらに有し、
前記設定工程では、前記指定工程において指定された動作モードに従って画像読取を行う際の条件を設定し、
前記画像読取の動作モードには、自動で画像処理条件を作成するためのモードである自動加工カラーコピーのモードと、網点原稿を読取る網点原稿読取のモードと、写真原稿を高解像度で読取る写真原稿読取のモードとを含むことを特徴とする請求項２又は３に記載の画像読取方法。
【請求項５】
光の３原色それぞれを発光する発光手段から画像原稿に光を照射して、受光手段により前記光の反射光を受光することにより、前記画像原稿を読取る画像読取装置であって、
画像読取を行う際の条件を設定する設定手段と、
前記設定手段によって設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との、少なくともいずれかを行う読取手段と、
前記画像原稿に対する画像読取を２回、行う場合に、前記画像原稿に対する１回目の画像読取を前記補色読取方法を用い、前記画像原稿に対する２回目の画像読取を前記原色読取方法を用いて実行するように、読取方法を切り替える切り替え手段とを有することを特徴とする画像読取装置。
【請求項６】
請求項５に記載の画像読取装置と、
前記画像読取装置によって読取された画像を表す画像データ、或は外部から入力された画像データに基づいて記録媒体に画像を記録する記録手段とを有することを特徴とするマルチファンクションプリンタ装置。
【手続補正２】
【補正対象書類名】明細書
【補正対象項目名】００２２
【補正方法】変更
【補正の内容】
【００２２】
即ち、光の３原色それぞれを発光する発光手段から画像原稿に光を照射して、受光手段により前記光の反射光を受光することにより、前記画像原稿を読取る画像読取方法であって、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との、少なくともいずれかを行う読取工程と、前記画像原稿に対する画像読取を２回、行う場合に、前記画像原稿に対する１回目の画像読取を前記補色読取方法を用い、前記画像原稿に対する２回目の画像読取に対する読取を前記原色読取方法を用いて実行するように、読取方法を切り替える切り替え工程とを有することを特徴とする。
【手続補正３】
【補正対象書類名】明細書
【補正対象項目名】００２３
【補正方法】変更
【補正の内容】
【００２３】
また他の発明によれば、光の３原色それぞれを発光する発光手段から画像原稿に光を照射して、受光手段により前記光の反射光を受光することにより、前記画像原稿を読取る画像読取装置であって、画像読取を行う際の条件を設定する設定手段と、前記設定手段によって設定された条件に従って、前記発光手段により光の３原色それぞれを順に前記画像原稿に照射し、前記画像原稿からの反射光を前記受光手段により読み取る原色読取方法に従う画像読取と、前記発光手段により光の３原色の内、３つの異なる組み合わせの２原色ずつを同時に前記画像原稿に照射し、前記画像原稿からの反射光を前記受光手段により読み取る補色読取方法に従う画像読取との、少なくともいずれかを行う読取手段と、前記画像原稿に対する画像読取を２回、行う場合に、前記画像原稿に対する１回目の画像読取を前記補色読取方法を用い、前記画像原稿に対する２回目の画像読取を前記原色読取方法を用いて実行するように、読取方法を切り替える切り替え手段とを有することを特徴とする画像読取装置を備える。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
画像データを入力する入力手段と、
前記入力手段により入力された前記画像データを、該画像データを出力装置により出力して該出力画像を観察する場合の第１の観察環境光特性及び第２の観察環境光特性に応じて、変換する変換手段と、
前記変換手段により前記第１の観察環境光特性に応じて変換された画像データの色と、前記変換手段により前記第２の観察環境光特性に応じて変換された画像データの色との差が所定値以上である色を特定する特定手段と、
前記特定手段により特定された色を識別可能に表示装置に表示させる表示制御手段と、
を有することを特徴とする画像処理装置。
【請求項２】
前記表示制御手段は、前記入力手段により入力された前記画像データに基づく画像のうち、前記特定手段により特定された色に対応する画像部分を表示装置に表示させる、ことを特徴とする請求項１に記載の画像処理装置。
【請求項３】
前記出力装置による出力条件を設定する設定手段、をさらに有し、
前記変換手段は、前記設定手段により設定された前記出力条件に応じて、前記入力手段により入力された前記画像データを変換する、
ことを特徴とする請求項１又は２に記載の画像処理装置。
【請求項４】
前記所定値のレベルを指定する指定手段、をさらに有し、
前記特定手段は、前記指定手段により指定された前記所定値のレベルに応じて色を特定する、
ことを特徴とする請求項１乃至３のいずれか１項に記載の画像処理装置。
【請求項５】
前記特定手段は、前記所定値以上である前記差を離散的な複数の段階値と対応させ、
前記表示制御手段は、該各段階毎に、前記特定手段により特定された色を識別可能に前記表示装置に表示させる、
ことを特徴とする請求項１乃至３のいずれか１項に記載の画像処理装置。
【請求項６】
画像処理装置において実行される画像処理方法であって、
前記画像処理装置の入力手段が、画像データを入力する入力工程と、
前記画像処理装置の変換手段が、前記入力工程において入力された前記画像データを、該画像データを出力装置により出力して該出力画像を観察する場合の第１の観察環境光特性及び第２の観察環境光特性に応じて、変換する変換工程と、
前記画像処理装置の特定手段が、前記変換工程において前記第１の観察環境光特性に応じて変換された画像データの色と、前記変換工程において前記第２の観察環境光特性に応じて変換された画像データの色との差が所定値以上である色を特定する特定工程と、
前記画像処理装置の表示制御手段が、前記特定工程において特定された色を識別可能に表示装置に表示させる表示制御工程と、
を有することを特徴とする画像処理方法。
【請求項７】
請求項１乃至５のいずれか１項に記載の画像処理装置の各手段としてコンピュータを機能させるプログラム。
【手続補正２】
【補正対象書類名】明細書
【補正対象項目名】００１２
【補正方法】変更
【補正の内容】
【００１２】
上記課題を解決するため、本発明に係る画像処理装置は、画像データを入力する入力手段と、前記入力手段により入力された前記画像データを、該画像データを出力装置により出力して該出力画像を観察する場合の第１の観察環境光特性及び第２の観察環境光特性に応じて、変換する変換手段と、前記変換手段により前記第１の観察環境光特性に応じて変換された画像データの色と、前記変換手段により前記第２の観察環境光特性に応じて変換された画像データの色との差が所定値以上である色を特定する特定手段と、前記特定手段により特定された色を識別可能に表示装置に表示させる表示制御手段と、を有することを特徴とする。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
被検眼の眼底を照明する照明手段を有する照明光学系と、撮像素子を有し眼底像を観察する眼底観察撮影光学系と、被検眼の眼底の撮影部位の中心領域にフォーカス指標を投影するフォーカス指標投影手段と、前記撮像素子により撮像された眼底像を表示する表示手段と、前記撮像素子により撮像され前記フォーカス指標が投影された中心領域を電気的に拡大する拡大手段と、該拡大手段の出力と前記撮像素子により撮像された周辺部位の画像出力とを合成する画像合成手段と、前記表示手段に前記画像合成手段の出力を出力する出力手段とを備えたことを特徴とする眼底カメラ。
【請求項２】
前記表示手段に撮像素子の出力を表示する表示モードと、前記画像合成手段の出力を表示する表示モードとを切換える表示切換手段を有することを特徴とする請求項１に記載の眼底カメラ。
【請求項３】
前眼部観察から眼底観察に切換える前記観察レンズの光路からの退避に伴って、前記表示モードを切換えることを特徴とすることを特徴とする請求項２に記載の眼底カメラ。
【請求項４】
被検眼の装置に対するアライメント状態を表示するために被検眼にアライメント用の指標光を投影する指標投影手段と、被検眼に適正にアライメントされた際に、前記指標光の被検眼からの反射像を前記撮像素子で撮像し前記表示手段の周辺部位に表示することを特徴とする請求項１に記載の眼底カメラ。
【請求項５】
フォーカス操作部の操作により前記フォーカス指標投影手段の移動を検知する検知手段に基づいて、前記表示手段の中心部を拡大表示に切り替える制御手段を有する請求項２に記載の眼底カメラ。
【請求項６】
前記フォーカス指標投影手段の移動を検知する検知手段は、フォーカス操作手段が所定時間に操作がなかったことに基づき中心部の拡大表示を元画面に戻す切り替える制御手段を有する請求項２に記載の眼底カメラ。
【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
発射装置により発射された遊技球が案内される遊技領域を有した遊技盤に、所定の演出表示部を有した演出装置を備えるとともに、当該演出装置の下方に所定の入球手段を備え、
前記入球手段に遊技球が入球することに基づいて、所定条件が成立した場合には特別遊技状態を付与する遊技機であって、
前記演出装置は、
遊技球の転動を許容する主転動遊技領域と備えるとともに、
前記遊技領域から導入される遊技球を前記主転動遊技領域へと案内する案内経路の少なくとも一部において、当該遊技球が前記演出表示部の前を横切って通過するための案内手段を備えたことを特徴とする遊技機。
【請求項２】
前記案内手段の少なくとも一部は、
左右方向に沿って配設されかつ前下がり傾斜となった傾斜面を有する第１の案内部と、その手前側に配設されかつ左右方向一方から他方へ下り傾斜となった上縁部を有する第２の案内部とを備えることにより、
前記第１の案内部の傾斜面と前記第２の案内部の上縁部とによって遊技球を２点支持して案内する構成となっていることを特徴とする請求項１に記載の遊技機。
【請求項３】
少なくとも前記左右方向一方の端部においては、前記第２の案内部の上縁部が、前記第１の案内部の傾斜面の前端縁部よりも上方に位置し、
少なくとも前記左右方向他方の端部においては、前記第２の案内部の上縁部が、前記第１の案内部の傾斜面の前端縁部よりも下方に位置し、
前記左右方向一方から他方へ案内される遊技球が、前記第２の案内部の上縁部が前記第１の案内部の傾斜面の前端縁部よりも下方に位置した部位より、前記第２の案内部の手前側へ案内されることを特徴とする請求項２に記載の遊技機。
【請求項４】
前記演出表示部の下方位置に、第２の演出表示部を備え、
前記案内手段は、前記演出表示部と前記第２の演出表示部との境界部に沿って設けられていることを特徴とする請求項１乃至３のいずれかに記載の遊技機。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
生物由来原料から発酵によりエタノール含有溶液を製造する方法であって、発酵工程においてカンジダ・グラブラータ（C. glabrata）を用いて２％（W/V）以上の濃度の塩化ナトリウムの存在下で生物由来原料中の糖質をエタノールに変換することを特徴とする製造方法。
【請求項２】
前記発酵工程が、ｐＨ２〜９で行われる、請求項１記載の製造方法。
【請求項３】
前記発酵工程が、ｐＨ２〜６で行われる、請求項２記載の製造方法。
【請求項４】
前記発酵工程が、３７〜４７℃で行われる、請求項１〜３のいずれか１項記載の製造方法。
【請求項５】
生物由来原料から発酵によりエタノール含有溶液を製造する方法であって、発酵工程においてカンジダ・グラブラータ（C. glabrata）を用いて２〜８％（W/V）の濃度の塩化ナトリウムの存在下、ｐＨ２〜６かつ４０〜４７℃で生物由来原料中の糖質をエタノールに変換することを特徴とする製造方法。
【請求項６】
前記発酵工程の前に糖化工程をさらに含む、請求項１〜５のいずれか１項記載の製造方法。
【請求項７】
前記発酵工程の後にエタノール濃縮工程及び／又は脱水工程をさらに含む、請求項１〜６のいずれか１項記載の製造方法。
【請求項８】
請求項１〜７のいずれか１項記載の方法により製造されたエタノール含有溶液。
【請求項９】
請求項８記載のエタノール含有溶液から製造された精製エタノール。
【請求項１０】
請求項８記載のエタノール含有溶液を含む燃料。
【請求項１１】
請求項８記載のエタノール含有溶液を含む工業用原料。
【請求項１２】
請求項８記載のエタノール含有溶液を添加され、製造された食品。
【請求項１３】
請求項８記載のエタノール含有溶液を含む医薬品。
【請求項１４】
請求項８記載のエタノール含有溶液を含む衛生用品。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
米粒の細胞膜を加水分解したり又は軟化せしめるヘミセルラーゼ、ペクチナーゼ、ペクチンエステラーゼ等の酵素含有水溶液に適宜時間米粒を浸漬した後、乾燥並びに微細粉化し、更に所定の殺菌処理して製出した微細米粉７０〜８０重量％に対して、グルテン約３０重量％、加工デンプン約２０重量％、吸水調整材約５０重量％の割合で構成され、且つ前記吸水調整材としてデキストリン又はトレハロース、ブドウ糖、増粘多糖類が約等分で混合された添加物を、２０〜３０重量％を添加混合してなることを特徴とする機械製麺用米麺粉。
【請求項２】
微細米粉の殺菌処理が、オゾン濃度１５ｐｐｍ以下のオゾン雰囲気中での気中攪拌である請求項１記載の機械製麺用米麺粉。
【手続補正２】
【補正対象書類名】明細書
【補正対象項目名】００１３
【補正方法】変更
【補正の内容】
【００１３】
本発明に係る機械製麺用米麺粉（プレミックス粉）は、米粒の細胞膜を加水分解したり又は軟化せしめるヘミセルラーゼ、ペクチナーゼ、ペクチンエステラーゼ等の酵素含有水溶液に適宜時間米粒を浸漬した後、乾燥並びに微細粉化し、更に所定の殺菌処理して製出た微細米粉７０〜８０重量％に対して、所定の添加物を、２０〜３０重量％を添加混合してなるもので、添加物がグルテン約３０重量％、加工デンプン約２０重量％、吸水調整材約５０重量％の割合で構成され、且つ前記吸水調整材としてデキストリン又はトレハロース、ブドウ糖、増粘多糖類が約等分で混合されたものであることを特徴とするものである。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
対象細胞を含有する試料を保持する試料保持部材と、
前記試料保持部材に保持された前記対象細胞に穿孔を形成する穿孔形成手段と、
前記対象細胞と前記穿孔形成手段とを相対的に移動させる移動手段と、
対象領域の画像を取得する画像取得手段と、
取得した画像に撮影された対象細胞の位置を検出する位置検出手段と、
検出された前記対象細胞の位置に基づいて、前記対象細胞と前記穿孔形成手段とを相対的に移動させる経路を設定する移動経路設定手段と、
前記移動経路設定手段の設定に基づいて前記移動手段を操作し、前記対象細胞に穿孔を形成する動作制御手段と、を有し、
前記画像取得手段は、撮影対象領域を複数に分割して撮影し、複数の画像を取得したのち、取得した複数の画像を合成して撮影対象領域全体の画像を取得することを特徴とする細胞穿孔装置。
【請求項２】
前記対象細胞は、前記試料に複数個分散されていることを特徴とする請求項１に記載の細胞穿孔装置。
【請求項３】
前記移動経路設定手段は、前記対象細胞と他の前記対象細胞とを結ぶ最短距離を移動経路として設定することを特徴とする請求項２に記載の細胞穿孔装置。
【請求項４】
前記動作制御手段は、前記対象細胞の端部に穿孔を形成することを特徴とする請求項１から３のいずれか１項に記載の細胞穿孔装置。
【請求項５】
前記移動手段は、前記試料保持部材を水平方向及び垂直方向の少なくとも一方に移動させる移動機構であることを特徴とする請求項１から４のいずれか１項に記載の細胞穿孔装置。
【請求項６】
前記穿孔形成手段は、前記試料の前記対象細胞にレーザ光を照射し、前記対象細胞に穿孔を形成することを特徴とする請求項１から５のいずれか１項に記載の細胞穿孔装置。
【請求項７】
前記動作制御手段は、前記穿孔形成手段の動作を許可する信号を検出した後、前記穿孔形成手段からレーザ光を照射させることを特徴とする請求項５に記載の細胞穿孔装置。
【請求項８】
前記画像取得手段は、画像を取得する際に焦点合わせを電動で行う電動焦点合わせ機構を有することを特徴とする請求項１から７のいずれか１項に記載の細胞穿孔装置。
【請求項９】
対象細胞を含有する試料を保持する試料保持部材と、穿孔位置に配置されている物体に穿孔を形成する穿孔形成手段とを有し、穿孔形成手段により前記対象細胞に穿孔を形成する細胞穿孔形成方法であって、
前記試料を撮影し、前記試料全体の画像を取得する画像取得ステップと、
取得した画像から前記試料に含有される対象細胞の位置及び大きさを検出する対象細胞検出ステップと、
前記検出した対象細胞の位置及び大きさから、前記穿孔形成手段と前記試料保持部材とを相対的に移動させて、前記対象細胞を前記穿孔位置に搬送する経路を算出し、設定する経路設定ステップと、
前記経路設定ステップで設定した経路で前記穿孔形成手段と前記試料保持部材とを相対的に移動させ、前記相対移動の際に、前記穿孔位置に前記対象細胞が搬送されたら前記対象細胞に穿孔を形成する穿孔形成ステップと、を有し、
前記画像取得ステップは、撮影対象領域を複数に分割して撮影し、複数の画像を取得したのち、取得した複数の画像を合成して撮影対象領域全体の画像を取得することを特徴とする細胞穿孔形成方法。
【請求項１０】
前記対象細胞は、前記試料中に複数個含有されており、
前記経路設定ステップは、複数の前記対象細胞が順次、前記穿孔位置に搬送されるように前記経路を設定することを特徴とする請求項９に記載の細胞穿孔形成方法。
【請求項１１】
前記穿孔形成手段は、前記穿孔位置である照射位置にレーザ光を照射し、前記物体に穿孔を形成することを特徴とする請求項９または１０に記載の細胞穿孔形成方法。
【手続補正２】
【補正対象書類名】明細書
【補正対象項目名】００１０
【補正方法】変更
【補正の内容】
【００１０】
上述した課題を解決し、目的を達成するために、本発明は、対象細胞を含有する試料を保持する試料保持部材と、前記試料保持部材に保持された前記対象細胞に穿孔を形成する穿孔形成手段と、前記対象細胞と前記穿孔形成手段とを相対的に移動させる移動手段と、
対象領域の画像を取得する画像取得手段と、取得した画像に撮影された対象細胞の位置を検出する位置検出手段と、検出された前記対象細胞の位置に基づいて、前記対象細胞と前記穿孔形成手段とを相対的に移動させる経路を設定する移動経路設定手段と、前記移動経路設定手段の設定に基づいて前記移動手段を操作し、前記対象細胞に穿孔を形成する動作制御手段と、を有し、前記画像取得手段は、撮影対象領域を複数に分割して撮影し、複数の画像を取得したのち、取得した複数の画像を合成して撮影対象領域全体の画像を取得することを特徴とする。
【手続補正３】
【補正対象書類名】明細書
【補正対象項目名】００１５
【補正方法】変更
【補正の内容】
【００１５】
また、前記穿孔形成手段は、前記試料の前記対象細胞にレーザ光を照射し、前記対象細胞に穿孔を形成することが好ましい。
【手続補正４】
【補正対象書類名】明細書
【補正対象項目名】００１８
【補正方法】変更
【補正の内容】
【００１８】
上述した課題を解決し、目的を達成するために、本発明は、対象細胞を含有する試料を保持する試料保持部材と、穿孔位置に配置されている物体に穿孔を形成する穿孔形成手段とを有し、穿孔形成手段により前記対象細胞に穿孔を形成する細胞穿孔形成方法であって、前記試料を撮影し、前記試料全体の画像を取得する画像取得ステップと、取得した画像から前記試料に含有される対象細胞の位置及び大きさを検出する対象細胞検出ステップと、前記検出した対象細胞の位置及び大きさから、前記穿孔形成手段と前記試料保持部材とを相対的に移動させて、前記対象細胞を前記穿孔位置に搬送する経路を算出し、設定する経路設定ステップと、前記経路設定ステップで設定した経路で前記穿孔形成手段と前記試料保持部材とを相対的に移動させ、前記相対移動の際に、前記穿孔位置に前記対象細胞が搬送されたら前記対象細胞に穿孔を形成する穿孔形成ステップと、を有し、前記画像取得ステップは、撮影対象領域を複数に分割して撮影し、複数の画像を取得したのち、取得した複数の画像を合成して撮影対象領域全体の画像を取得することを特徴とする。
【手続補正５】
【補正対象書類名】明細書
【補正対象項目名】００１９
【補正方法】変更
【補正の内容】
【００１９】
また、前記対象細胞は、前記試料中に複数個含有されており、前記経路設定ステップは、複数の前記対象細胞が順次、前記穿孔位置に搬送されるように前記経路を設定することが好ましい。また、前記穿孔形成手段は、前記穿孔位置である照射位置にレーザ光を照射し、前記物体に穿孔を形成することが好ましい。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
患者を処置するためのデバイスであって、
患者の心臓の平均的出力流量よりも実質的に低い流量でもって患者を通して血液をポンピングし得るよう構成されたポンプを具備し、
前記ポンプが、このポンプ内への血液の導入を可能とし得るよう構成され、
前記ポンプが、このポンプからの血液の導出を案内するための流出導管に対して流体連通して連結され得るよう構成された導出口を備え、
前記ポンプが、低侵襲的に埋設可能であるように構成されていることを特徴とするデバイス。
【請求項２】
請求項１記載のデバイスにおいて、
さらに、
前記ポンプの導入口に対して連結され得るよう構成された流入導管と、
前記ポンプの前記導出口に対して連結され得るよう構成された流出導管と、
を具備していることを特徴とするデバイス。
【請求項３】
請求項２記載のデバイスにおいて、
前記流入導管および前記流出導管の少なくとも１つが、吻合接続によって血管に対して固定され得るよう構成されていることを特徴とするデバイス。
【請求項４】
請求項２または３記載のデバイスにおいて、
前記流入導管および前記流出導管の少なくとも１つが、末梢血管内へと皮下的に挿入され得るよう構成されており、これにより、患者内において、血液の供給源に対して流体連通されていることを特徴とするデバイス。
【請求項５】
請求項２〜４のいずれか１項に記載のデバイスにおいて、
前記流入導管および前記流出導管の少なくとも１つが、低侵襲的手法によって埋設され得るよう構成されており、これにより、その導管と血管系との間にわたっての流体連通を、皮下的に行い得るものとされていることを特徴とするデバイス。
【請求項６】
請求項２〜５のいずれか１項に記載のデバイスにおいて、
前記流入導管が、腸骨動脈または大腿動脈に対しての流体連通が可能とされていることを特徴とするデバイス。
【請求項７】
請求項２〜６のいずれか１項に記載のデバイスにおいて、
前記流出導管が、腋窩動脈または鎖骨下動脈に対しての流体連通が可能とされていることを特徴とするデバイス。
【請求項８】
請求項１〜７のいずれか１項に記載のデバイスにおいて、
前記ポンプが、皮下内へ配置され得るよう構成されていることを特徴とするデバイス。
【請求項９】
請求項１〜７のいずれか１項に記載のデバイスにおいて、
前記ポンプが、患者内へと低侵襲的に皮下内へ配置され得るよう構成されていることを特徴とするデバイス。
【請求項１０】
請求項１〜７のいずれか１項に記載のデバイスにおいて、
前記ポンプが、胸部外に配置され得るよう構成されていることを特徴とするデバイス。
【請求項１１】
請求項１〜７のいずれか１項に記載のデバイスにおいて、
前記ポンプが、患者の胸キャビティの外部に配置され得るよう構成されていることを特徴とするデバイス。
【請求項１２】
請求項１１記載のデバイスにおいて、
前記ポンプが、患者の大腿の付け根領域内に配置され得るよう構成されていることを特徴とするデバイス。
【請求項１３】
請求項１〜１２のいずれか１項に記載のデバイスにおいて、
前記ポンプが、連続流型のポンプとされていることを特徴とするデバイス。
【請求項１４】
請求項１３記載のデバイスにおいて、
前記ポンプが、遠心ポンプとされていることを特徴とするデバイス。
【請求項１５】
請求項１〜１２のいずれか１項に記載のデバイスにおいて、
前記ポンプが、軸流ポンプとされていることを特徴とするデバイス。
【請求項１６】
請求項１〜１２のいずれか１項に記載のデバイスにおいて、
前記ポンプが、回転血液ポンプとされていることを特徴とするデバイス。
【請求項１７】
請求項１〜１２のいずれか１項に記載のデバイスにおいて、
前記ポンプが、脈流ポンプとされていることを特徴とするデバイス。
【請求項１８】
請求項１７記載のデバイスにおいて、
前記デバイスが、患者の心臓が収縮期である時には前記ポンプ内へと患者から血液を導入し得るように構成され、患者の心臓が拡張期である時には前記導出口から患者内へと血液を導出し得るように構成されていることを特徴とするデバイス。
【請求項１９】
請求項１〜１２のいずれか１項に記載のデバイスにおいて、
前記ポンプが、圧潰可能なチャンバを有していることを特徴とするデバイス。
【請求項２０】
請求項１〜１９のいずれか１項に記載のデバイスにおいて、
前記ポンプが、３リットル／分以下という流速でもって駆動され得るよう構成されていることを特徴とするデバイス。
【請求項２１】
請求項１〜２０のいずれか１項に記載のデバイスにおいて、
さらに、低侵襲的に埋設可能であるようなコントローラを具備していることを特徴とするデバイス。
【請求項２２】
請求項１〜２１のいずれか１項に記載のデバイスにおいて、
さらに、低侵襲的に埋設可能であるような電源を具備していることを特徴とするデバイス。
【請求項２３】
請求項２２記載のデバイスにおいて、
低侵襲的に埋設可能な前記電源が、無線的に充電され得るよう構成されていることを特徴とするデバイス。
【請求項２４】
請求項１〜２１のいずれか１項に記載のデバイスにおいて、
さらに、前記ポンプと体外電源との間にわたって皮下的に延出され得るよう構成された皮下ラインを具備していることを特徴とするデバイス。
【請求項２５】
請求項２４記載のデバイスにおいて、
前記体外電源が、患者の歩行移動を可能とし得るよう構成されていることを特徴とするデバイス。
【請求項２６】
請求項１〜２５のいずれか１項に記載のデバイスにおいて、
さらに、デバイスの自動制御を可能とし得るよう構成されたコントローラを具備していることを特徴とするデバイス。
【請求項２７】
請求項２６記載のデバイスにおいて、
前記コントローラが、収縮期と拡張期との少なくとも一方において前記デバイスの動作を制御することを特徴とするデバイス。
【請求項２８】
請求項２６または２７記載のデバイスにおいて、
前記コントローラが、前記ポンプの速度の自動制御を可能とし得るよう構成されていることを特徴とするデバイス。
【請求項２９】
請求項２６〜２８のいずれか１項に記載のデバイスにおいて、
前記コントローラが、前記ポンプの収縮的脈動または拡張的脈動の自動制御を可能とし得るよう構成されていることを特徴とするデバイス。
【請求項３０】
請求項２６〜２９のいずれか１項に記載のデバイスにおいて、
さらに、患者の心臓を観測して前記コントローラに対して信号を送出し得るよう構成されたＥＫＧを具備していることを特徴とするデバイス。
【請求項３１】
請求項２６〜３０のいずれか１項に記載のデバイスにおいて、
さらに、前記コントローラに対して制御信号を入力するためのセンサを具備していることを特徴とするデバイス。
【請求項３２】
請求項３１記載のデバイスにおいて、
前記センサが、圧力センサとされていることを特徴とするデバイス。
【請求項３３】
請求項３１記載のデバイスにおいて、
前記センサが、ＥＫＧセンサとされていることを特徴とするデバイス。
【請求項３４】
請求項１〜３３のいずれか１項に記載のデバイスにおいて、
前記流出導管が、ｅＰＴＦＥを備えていることを特徴とするデバイス。